【手続補正書】
【提出日】平成15年7月1日(2003.7.1)
【手続補正１】
【補正対象書類名】明細書
【補正対象項目名】特許請求の範囲
【補正方法】変更
【補正の内容】
【特許請求の範囲】
【請求項１】
現実物を撮像する撮像装置と、座標入力装置と、投影装置とが接続された情報処理装置において、
前記撮像装置によって得られた映像情報内から現実物を検出する検出手段と、
前記座標入力装置によって得られた座標情報によりカーソルを制御する手段とを備え、
前記情報処理装置内に蓄えられた情報及び前記カーソルを前記投影装置で投影し、前記投影された情報が前記カーソルで選択された場合には、その選択された選択範囲を可視化して投影し、又、前記現実物が前記カーソルで選択された場合には、その選択された選択範囲を可視化して投影する事を特徴とする情報処理装置。
【請求項２】
前記撮像装置が撮像動作をする場合には、前記投影装置は前記情報処理装置内に蓄えられた情報や前記カーソルを表示するのではなく、実質上無地の映像を投影する事を特徴とする請求項１記載の情報処理装置。
【請求項３】
現実物を撮像する撮像装置と、座標入力装置と、投影装置とが接続された情報処理装置において、
前記撮像装置によって得られた映像情報内から現実物を検出する検出手段を備え、
前記投影装置が前記情報処理装置内に蓄えられた情報を投影し、その投影された情報が選択された場合には、その選択された選択範囲を可視化して投影し、又、前記現実物が選択された場合には、その選択された選択範囲を可視化して投影し、  前記撮像装置が撮像動作をする場合には、前記投影装置は前記情報処理装置内に蓄えられた情報を表示せず、実質上無地の映像を投影する事を特徴とする情報処理装置。
【請求項４】
前記投影装置が投影する前記実質上無地の映像は、投影範囲の照度を高める映像である事を特徴とする請求項２又は３記載の情報処理装置。
【請求項５】
前記検出手段では、前記検出された物体の位置情報の変化も検出し、
現実物を前記カーソルで選択し、選択範囲を可視化して投影しているときに現実物が移動した場合には移動先で選択範囲が可視化して投影されるように更新する事を特徴とする請求項１記載の情報処理装置。
【請求項６】
前記投影装置は、前記撮像装置が撮像する範囲を可視化して投影する事を特徴とする請求項１又は３記載の情報処理装置。
【請求項７】
前記検出手段では、前記検出された物体上に記された１文字以上の文字列を認識し、
前記文字列の全体あるいは１部分が選択されたときには、選択された部分をキーワードとしてデータベースを検索し、検索結果を前記投影装置で投影する事を特徴とする請求項１又は３記載の情報処理装置。
【請求項８】
ディスプレイを備え、前記検索結果を前記ディスプレイに表示する事を特徴とする請求項７記載の情報処理装置。
【請求項９】
前記情報処理装置内に蓄えられた情報を前記投影装置で投影する際に、前記投影装置の投影範囲内で、現実物が存在しない空白部分に前記情報を投影し、前記情報を投影するのに必要な面積と前記空白部分の面積とを比較し、前記空白部分の面積が不足している場合には、可視情報あるいは、可聴情報として出力する事を特徴とする請求項１又は３記載の情報処理装置。
【請求項１０】
前記空白部分の面積が不足しているときには、前記空白部分の中に前記情報の全体像が表示されるまで前記情報を本来出力する面積より縮小して投影する事を特徴とする請求項９記載の情報処理装置。
【請求項１１】
前記撮像装置は現実物とオペレータの指とを撮像し、前記検出部は前記現実物上における前記オペレータの指の位置を算出し、投影装置はその位置にカーソルを表示する事を特徴とする請求項１記載の情報処理装置。
【請求項１２】
前記撮像装置は現実物とオペレータの指とを撮像し、前記検出部は前記オペレータの指の位置を算出し、前記カーソルを前記指の位置により制御する事を特徴とする請求項１記載の情報処理装置。
【請求項１３】
前記カーソルを前記オペレータの指の位置に表示する事を特徴とする請求項１１記載の情報処理装置。
【請求項１４】
前記オペレータの指で座標を入力する場合は、前記カーソルを表示しない事を特徴とする請求項１２記載の情報処理装置。
【請求項１５】
前記撮像装置の撮像範囲内に数式の左辺が記された紙片を設置された場合、前記検出手段は前記左辺の文字列を認識し、前記数式の左辺より算出して得られた結果を前記投影装置で前記数式の左辺に対して右辺が存在すべき位置に投影する事を特徴とする請求項１又は３記載の情報処理装置。
【請求項１６】
前記撮像装置の撮像範囲内に図形の記された紙片を設置された場合、前記図形に対し最も類似度の高い図形を検索して結果を、前記投影装置は前記最も類似度の高い図形を前記紙片に記された図形に重ねて投影する事を特徴とする請求項１又は３記載の情報処理装置。
【請求項１７】
前記投影装置が投影した前記結果の全体あるいはその一部分をその入力の上あるいは周辺にオペレータが手書きで入力すると、投影されている結果の中で入力された部分に対応する部分について投影を停止する事を特徴とする請求項１５又は１６記載の情報処理装置。
【請求項１８】
前記数式の左辺を文字式で与え、文字に代入する数を前記文字式の記された紙片上あるいは前記撮像範囲内に存在する別の紙片上に記された数字で与える事を特徴とする請求項１５記載の情報処理装置。
【請求項１９】
前記検出手段では、前記検出された物体上に記された１文字以上の文字列を認識し、認識結果と同一の物があるかどうかを前記情報処理装置内に蓄えられた情報の中から探し出し、認識の誤りがあった場合には、前記情報処理装置内に蓄えられた情報に含まれている文字列に置き換える事を特徴とした請求項１又は３記載の情報処理装置。
【請求項２０】
他の情報処理装置あるいはデータベースと情報伝達する回線を備え、
前記検出手段では、前記検出された物体上に記された１文字以上の文字列を認識し、認識結果と同一の物があるか否かを前記他の情報処理装置あるいはデータベースに蓄えられた情報の中から探し出し、認識の誤りがあった場合には、前記他の情報処理装置あるいはデータベースに蓄えられた情報に含まれている文字列に置き換える事を特徴とする請求項１９記載の情報処理装置。
【請求項２１】
前記撮像範囲内に置かれた書類上の紙面について文字や図形のレイアウトを符号化して保存しておき、後に前記撮像範囲内に置かれた書類が、かつて置かれた書類と同一であるか否かを判定し、同一であった場合には、以前に前記書類上で行われた処理の結果を再び表示する事を特徴とする請求項１又は３記載の情報処理装置。
【請求項２２】
前記検出手段は前記文字の認識も行ない、
前記同一であるか否かの判定には前記文字や図形のレイアウトだけでなく、文字認識結果を使用する事を特徴とする請求項２１記載の情報処理装置。
【請求項２３】
現実物を撮像する撮像装置によって得られた映像情報内から現実物を検出する検出手段と、前記検出手段にて検出した現実物の撮像画像及びポインティングカーソール又はアイコンを投影する投影装置とが接続された情報処理装置であって、
前記投射装置は無地の投影を行いながら前記現実物を撮影することを特徴とする情報処理装置。
【請求項２４】
文字、図、又は記号の情報入力を行う入力手段と、撮像装置によって得られた文字が記載された書籍の映像  情報から書籍の記載情報を検出する検出手段と、前記書籍の撮像画像及び前記入力手段による入力情報を投影する投影装置とが接続され、前記入力手段による情報入力が行われた書籍の所定ページの記載情報と前記入力情報とを対応して記憶する情報処理装置であって、
前記検出手段にて書籍の記載情報を検出し、前記検出した記載情報と予め格納されている前記書籍の記載情報とを照合して同一の記載情報が存在するか判断し、同一のものがある場合にはそのページに対応する前記入力情報を前記投影装置によって投影する情報処理装置。
【請求項２５】
前記書籍の記載情報は、文字コード、フォント情報、及び表示位置に関する情報である請求項２４記載の情報処理装置。
【手続補正２】
【補正対象書類名】明細書
【補正対象項目名】００１０
【補正方法】変更
【補正の内容】
【００１０】
【課題を解決するための手段】
請求項１記載の本発明は、現実物を撮像する撮像装置と、座標入力装置と、投影装置とが接続された情報処理装置において、前記撮像装置によって得られた映像情報内から現実物を検出する検出手段と、前記座標入力装置によって得られた座標情報によりカーソルを制御する手段とを備え、
前記情報処理装置内に蓄えられた情報及び前記カーソルを前記投影装置で投影し、前記投影された情報が前記カーソルで選択された場合には、その選択された選択範囲を可視化して投影し、又、前記現実物が前記カーソルで選択された場合には、その選択された選択範囲を可視化して投影する情報処理装置である。


【手続補正３】
【補正対象書類名】明細書
【補正対象項目名】００１２
【補正方法】変更
【補正の内容】
【００１２】
請求項３記載の本発明は、現実物を撮像する撮像装置と、座標入力装置と、投影装置とが接続された情報処理装置において、前記撮像装置によって得られた映像情報内から現実物を検出する検出手段を備え、
前記投影装置が前記情報処理装置内に蓄えられた情報を投影し、その投影された情報が選択された場合には、その選択された選択範囲を可視化して投影し、又、前記現実物が選択された場合には、その選択された選択範囲を可視化して投影し、前記撮像装置が撮像動作をする場合には、前記投影装置は前記情報処理装置内に蓄えられた情報を表示せず、実質上無地の映像を投影する情報処理装置である。


【手続補正４】
【補正対象書類名】明細書
【補正対象項目名】００３１
【補正方法】変更
【補正の内容】
【００３１】
請求項２２記載の本発明は、前記検出手段は前記文字の認識も行ない、前記同一であるか否かの判定には前記文字や図形のレイアウトだけでなく、文字認識結果を使用する情報処理装置である。
請求項２３記載の本発明は、現実物を撮像する撮像装置によって得られた映像情報内から現実物を検出する検出手段と、前記検出手段にて検出した現実物の撮像画像及びポインティングカーソール又はアイコンを投影する投影装置とが接続された情報処理装置であって、
前記投射装置は無地の投影を行いながら前記現実物を撮影することを特徴とする情報処理装置である。
請求項２４記載の本発明は、文字、図、又は記号の情報入力を行う入力手段と、撮像装置によって得られた文字が記載された書籍の映像  情報から書籍の記載情報を検出する検出手段と、前記書籍の撮像画像及び前記入力手段による入力情報を投影する投影装置とが接続され、前記入力手段による情報入力が行われた書籍の所定ページの記載情報と前記入力情報とを対応して記憶する情報処理装置であって、
前記検出手段にて書籍の記載情報を検出し、前記検出した記載情報と予め格納されている前記書籍の記載情報とを照合して同一の記載情報が存在するか判断し、同一のものがある場合にはそのページに対応する前記入力情報を前記投影装置によって投影する情報処理装置である。
請求項２５記載の本発明は、前記書籍の記載情報は、文字コード、フォント情報、及び表示位置に関する情報である請求項２４記載の情報処理装置である。